(57)【要約】      （修正有）【課題】殊更に電力を用いることなく、加湿性能を向上した加湿装置を提供する。【解決手段】加湿用の水Ｗを貯える貯水部２１１と、下部が前記貯水部２１１の水Ｗに浸されて前記貯水部２１１から水Ｗを吸い上げる加湿エレメント２３とを備えて、前記貯水部２１１から吸い上げた水Ｗを加湿エレメント２３から蒸散させるようにした気化式加湿具２を用い、前記加湿エレメント２３に温風装置からの温風を吹き付けて、前記加湿エレメント２３からの水Ｗの蒸散を促進させるようにする。【選択図】図３
2015152291.tif 000002
【特許請求の範囲】
【請求項１】
加湿用の水を貯える貯水部と、下部が前記貯水部の水に浸されて前記貯水部から水を吸い上げる加湿エレメントとを備えて、前記貯水部から吸い上げた水を加湿エレメントから蒸散させるようにした気化式加湿具を用い、前記加湿エレメントに温風装置からの温風を吹き付けて、前記加湿エレメントからの水の蒸散を促進させるようにしたことを特徴とする加湿装置。
【請求項２】
前記温風装置に備えられた温風導入部により前記加湿エレメントに導かれた前記温風が前記加湿エレメントに吹き付けられることにより、前記加湿エレメントからの水の蒸散を促進させるようにしたことを特徴とする請求項１に記載の加湿装置。
【請求項３】
前記温風装置はエアコンであり、該エアコンの吹き出し口からの温風を加湿エレメントに吹き付けることを特徴とする請求項１又は２に記載の加湿装置。
【請求項４】
前記エアコンに、その吹き出し口の前面側を覆った吊り下げ具を介して気化式加湿具が吊り下げられ、前記吊り下げ具によって吹き出し口からの温風が前記エアコンの下方に配置された前記気化式加湿具の加湿エレメントに導かれるようになされたことを特徴とする請求項３に記載の加湿装置。
【請求項５】
前記吊り下げ具は、帯状体から形成されていることを特徴とする請求項４に記載の加湿装置。
【請求項６】
前記吊り下げ具の下部には貫通孔が設けられていることを特徴とする請求項４又は５に記載の加湿装置。
【請求項７】
前記気化式加湿具の加湿エレメントは、前記吊り下げ具に対して交差する方向に配置されていることを特徴とする請求項４〜６のいずれか１項に記載の加湿装置。
【発明の詳細な説明】
【技術分野】
【０００１】
本発明は、加湿装置に関するものであり、より詳細には、温風発生装置の温風を利用した加湿装置に関するものである。
【背景技術】
【０００２】
従来から、加湿装置に関しては種々の発明がなされており、例えば特許文献１に記載されている様に本出願人も、上方に開口すると共に、加湿用の水を貯える貯水部を備えた貯水部と、吸水性を有する加湿エレメントとを備え、前記貯水部の底部には、前記加湿エレメントの差し入れ及び抜き取りを自在とした溝部が形成されている自然気化式加湿装置を提案している。
【先行技術文献】
【特許文献】
【０００３】
【特許文献１】特開２０１３−１０８６５３号公報
【発明の概要】
【発明が解決しようとする課題】
【０００４】
しかしながら、上記従来の加湿装置にあっては、電力を用いることなく加湿することができる、所謂エコな加湿装置であるものの、その加湿性能については、やなり電気式の加湿装置に及ばないため、その加湿性能の向上が要望されていた。
【０００５】
本発明は、殊更に電力を用いることなく、加湿性能を向上した加湿装置を提供せんとするものである。
【課題を解決するための手段】
【０００６】
上記目的を達成するために、本発明は次のような構成としている。
すなわち本発明に係る加湿装置は、加湿用の水を貯える貯水部と、下部が前記貯水部の水に浸されて前記貯水部から水を吸い上げる加湿エレメントとを備えて、前記貯水部から吸い上げた水を加湿エレメントから蒸散させるようにした気化式加湿具を用い、前記加湿エレメントに温風装置からの温風を吹き付けて、前記加湿エレメントからの水の蒸散を促進させるようにしたことを特徴とするものである。
【０００７】
前記発明によれば、加湿用の水を貯える貯水部と、下部が前記貯水部の水に浸されて前記貯水部から水を吸い上げる加湿エレメントとが備えられ、前記貯水部から吸い上げた水を加湿エレメントから蒸散させるようにした気化式加湿具が用いられ、前記加湿エレメントに温風装置からの温風が吹き付けられて、前記加湿エレメントからの水の蒸散を促進させるようになされているので、気化式加湿具自体には給電する必要が無く、従って温風装置を稼働させるのに必要な電力以上の電力を用いることなく、温風装置からの温風によって、加湿エレメントからの水の蒸散が促進され、もって加湿性能が向上された加湿装置となすことができる。
【０００８】
また本発明に係る加湿装置において、前記温風装置に備えられた温風導入部により前記加湿エレメントに導かれた前記温風が前記加湿エレメントに吹き付けられることにより、前記加湿エレメントからの水の蒸散を促進させるようにしてもよい。
【０００９】
この様にすれば、前記温風装置に備えられた温風導入部により前記加湿エレメントに導かれた前記温風が前記加湿エレメントに吹き付けられることにより、前記加湿エレメントからの水の蒸散が促進されるようになされているので、前記温風導入部によって、前記温風装置からの温風が前記加湿エレメントに効率よく導かれ、従って、加湿エレメントからの水の蒸散が効率よく行われる。
【００１０】
また本発明に係る加湿装置において、前記温風装置はエアコンであり、該エアコンの吹き出し口からの温風を加湿エレメントに吹き付けるようにしてもよい。
【００１１】
この様にすれば、エアコンの吹き出し口からの温風を加湿エレメントに吹き付けるようにしているので、エアコンの温風によって、加湿エレメントからの水の蒸散を効率よく促進させることができる。
【００１２】
また本発明に係る加湿装置を、前記エアコンに、その吹き出し口の前面側を覆った吊り下げ具を介して気化式加湿具が吊り下げられ、前記吊り下げ具によって吹き出し口からの温風が前記エアコンの下方に配置された前記気化式加湿具の加湿エレメントに導かれるようになされるようにしてもよい。
【００１３】
この様にすれば、前記エアコンに、その吹き出し口の前面側を覆った吊り下げ具を介して気化式加湿具を吊り下げ、前記吊り下げ具によって吹き出し口からの温風を前記エアコンの下方に配置した前記気化式加湿具の加湿エレメントに導くようにしているので、エアコンの温風を確実に加湿エレメントに吹き付けることができ、好ましい。
【００１４】
また本発明に係る加湿装置において、前記吊り下げ具を、帯状体から形成するようにしてもよい。
【００１５】
この様にすれば、前記吊り下げ具を、帯状体から形成するようにしているので、エアコンの乾燥した温風が帯状体により大量にかつ確実に加湿エレメントに導かれ、加湿エレメントからの水の蒸散を効率よく促進させることができる。
【００１６】
また本発明に係る加湿装置において、前記吊り下げ具の下部に貫通孔を設けるようにしてもよい。
【００１７】
この様にすれば、前記吊り下げ具の下部に貫通孔を設けているので、前記エアコンの吹き出し口から下方に導かれて、前記気化式加湿具の加湿エレメントに吹き付けられる温風が当該貫通孔から前側に吹き抜けることができ、よって前記加湿エレメントから蒸散した水分を含んだ風が加湿装置を設置した室内に効果的に拡散させることができる。
【００１８】
また本発明に係る加湿装置において、前記気化式加湿具の加湿エレメントを、前記吊り下げ具に対して交差する方向に配置するようにしてもよい。
【００１９】
この様にすれば、前記気化式加湿具の加湿エレメントを、前記吊り下げ具に対して交差する方向に配置しているので、前記エアコンの吹き出し口から下方に導かれて、前記気化式加湿具の加湿エレメントに吹き付けられる温風が、前記加湿エレメントの間を抜けることができるため、水分を含んだ風を加湿装置が設置された室内に、より効率的に供給することができ、好ましい。
【発明の効果】
【００２０】
本発明に係る加湿装置によれば、前記加湿エレメントに温風装置からの温風を吹き付けて、前記加湿エレメントからの水の蒸散を促進させることができる。
【図面の簡単な説明】
【００２１】
【図１】本発明に係る加湿装置を温風装置に取付けた状態を示す斜視図である。
【図２】図１の要部を背面側から見た斜視図である。
【図３】図１の、（イ）は正面図、（ロ）は平面図、（ハ）は側面図である。
【発明を実施するための形態】
【００２２】
次に、本発明を実施するための形態について図面を参照し、具体的に説明する。
【００２３】
Ｐは本発明に係る加湿装置であって、１は屋内の壁Ｋに取付けられている温風装置であるエアコン（エアコンディショナーの略称）であり、その前面側下端部に横長の吹き出し口１１を備えている。なお、本実施形態において、温風装置はエアコンとしているが、これ以外の温風装置、例えば、床置き型扇風機型の赤外線温風発生器であってもよい。
【００２４】
２は前記エアコン１に吊り下げられてエアコン１の下方に配置された気化式加湿具、３は前記エアコン１の吹き出し口１１の前面側を覆って前記エアコン１に前記気化式加湿具２を吊り下げる吊り下げ具である。該吊り下げ具３は、縦長の帯状体からなり、エアコン１の幅の半分より狭い幅となされており、前記吊り下げ具３は前記エアコン１に備えられた温風導入部として構成され、前記吊り下げ具３によって、前記吹き出し口１１から吹き出される温風Ｚが下方に導かれ、前記気化式加湿具２の後述する加湿エレメント２３に吹き付けられるようになされている。なお、前記吊り下げ具３の材質は、特に限定されるものではなく、繊維を織って形成される職布、或いは不織布、又合成樹脂を膜状に成形したものなど、前記温風Ｚを下方に導くものであればよい。
【００２５】
そして、前記吊り下げ具３の下部の壁Ｋ側には、前記吊り下げ具３の下部を前面３１１とし、左右側面３１２と背面３１３とで形成された有底筒状の加湿具収容部３１が設けられ、前記気化式加湿具２が該加湿器収容部３１の底面３１４に載置されている。また、前記加湿器収容部３１の上部は開放されており、前記気化式加湿具２が前記加湿器収容部３１の開口部３１５である上部から取り出し自在となされている。
【００２６】
また、前記吊り下げ具３の下部の前記加湿器収容部３１の前面側には複数の貫通孔３２が設けられており、前記吊り下げ具３によって下方に導かれた温風Ｚが、前記加湿器収容部３１に載置されている前記気化式加湿具２の加湿エレメント２３に吹き付けられ、水分を含んだ風となされた後、該水分を含んだ風が前記貫通孔３２から外方に吹き出すようになされている。したがって、室内に水分を含んだ風が供給され、部屋の湿度を効果的に上げることができる。なお本実施形態においては、前記貫通孔３２は円形状に形成され、縦方向に８段、横方向に１３列、計１０４個が全体として横長の長方形状に設けられているが、これに限定されるものではなく、貫通孔３２の形状や個数、及び全体としての形状は適宜設定すればよい。
【００２７】
前記気化式加湿具２は、本体ケース２１と、給水ボトル２２と、加湿エレメント２３とを備えている。本体ケース２１は、平面視で左右方向に長く上面全体が開口した箱体であって、加湿用の水Ｗを貯める貯水部２１１を備えている。給水ボトル２２は略角柱形状に形成されて、本体ケース２１に対して着脱自在に取付けられており、加湿用の水Ｗを充填した状態で本体ケース２１に取付けられ、本体ケース２１の貯水部２１１に加湿用の水Ｗを供給し、水Ｗが無くなると本体ケース２１から取外して水Ｗを補充し、再び本体ケース２１に取付けるようになされている。そして前記給水ボトル２２については透明ないし半透明の材料にて形成すれば、給水ボトル２２内の水位を目視で確認できるので好ましい。
【００２８】
また前記加湿エレメント２３は、吸水性を備えた略矩形の不織布により形成されており、本体ケース２１の貯水部２１１内に配置されて、その下部が加湿用の水Ｗに浸され、そこから加湿用の水Ｗを吸い上げるとともに上部からその水Ｗを蒸散させて、加湿を行うものである。そして、前記吊り下げ具３によって、前記吹き出し口１１から吹き出される温風Ｚが下方に導かれ、前記加湿エレメント２３に温風装置であるエアコン１からの温風Ｚが吹き付けられて、前記加湿エレメント２３からの水Ｗの蒸散を促進させるようになされている。
【００２９】
そして、前記加湿エレメント２３から水Ｗが蒸散され、貯水部２１１内の水位が下がると、大気圧と水圧とが均衡するように給水ボトル２１内から貯水部２１１へと水Ｗが流入するというサイクルを繰り返し、これにより前記気化式加湿具２は、常に一定の加湿性能を発揮すると共に、貯水部２１１内の水位は一定に保たれるようになされている。
【００３０】
また前記加湿エレメント２３は、複数枚が互いに所定の間隔をおいて、前記帯状体に形成された吊り下げ具３に対して交差する方向、すなわち左右方向に長い本体ケース２１の前後方向αに配置されている。この様に前記気化式加湿具２の加湿エレメント２３を、前記吊り下げ具３に対して交差する方向に配置しているので、前記エアコン１の吹き出し口１１から下方に導かれて、前記気化式加湿具２の加湿エレメント２３に吹き付けられる温風Ｚが、前記加湿エレメント２３の間を抜けることができるため、水分を含んだ風を加湿装置Ｐが設置された室内に、より効率的に供給することができる。
【００３１】
また気化式加湿具２においては、加湿用の水Ｗを給水ボトル２２内に閉じ込めておくことができる。したがって、加湿用の水Ｗに例えばアロマ成分等の香料や、薬効成分、その他揮発性の高い成分などを混入した場合にも、それら成分が短期間に蒸散することがないので、長期間にわたって所望の効能を発揮させることが可能となる。
【符号の説明】
【００３２】
１      エアコン
１１    吹き出し口
２      気化式加湿具
２１    本体ケース
２１１  貯水部
２２    給水ボトル
２３    加湿エレメント
３      吊り下げ具
３１    加湿具収容部
３１１  前面
３１２  側面
３１３  背面
３１４  底面
３１５  開口部
３２    貫通孔
Ｐ      加湿装置
Ｋ      壁
Ｚ      温風
Ｗ      水
α      前後方向
【図１】
2015152291.tif 000003
【図２】
2015152291.tif 000004
【図３】
2015152291.tif 000005